(57)【要約】      （修正有）【課題】ハウジングからの突出部に軸直角方向の力が作用した場合にも、安定して動作するオートテンショナを提供する。【解決手段】一端が開放した有底筒状のハウジング１０内に、ハウジングの底１１に向かって開口する有底筒状のプランジャ１２を、ハウジングから一端が突出した状態で軸方向に摺動可能に挿入し、プランジャの外周とハウジングの内周の間に組み込んだリング状のシール部材１６でハウジング内にオイルを密封し、プランジャ内にプランジャと同軸のスクリュロッド２０とそのスクリュロッドにねじ係合するナット部材１８とを収容し、ナット部材とプランジャの間に組み込んだリターンスプリング２２でプランジャとナット部材を軸方向に離反する方向に付勢し、スクリュロッドとハウジングの底との間に組み込んだスプリング２３でスクリュロッドをハウジングの底から離反する方向に付勢し、スクリュロッドの端面２５をプランジャに当接させる。【選択図】図２
2008144837.tif 000002
【特許請求の範囲】
【請求項１】
一端が開放した有底筒状のハウジング（１０）内に、ハウジング（１０）の底（１１）に向かって開口する有底筒状のプランジャ（１２）を、ハウジング（１０）から一端が突出した状態で軸方向に摺動可能に挿入し、そのプランジャ（１２）の外周と前記ハウジング（１０）の内周の間に組み込んだリング状のシール部材（１６）で前記ハウジング（１０）内にオイルを密封し、前記プランジャ（１２）内にプランジャ（１２）と同軸のスクリュロッド（２０）とそのスクリュロッド（２０）にねじ係合するナット部材（１８）とを収容し、そのナット部材（１８）とプランジャ（１２）の間に組み込んだリターンスプリング（２２）でプランジャ（１２）とナット部材（１８）を軸方向に離反する方向に付勢し、前記スクリュロッド（２０）とハウジング（１０）の底（１１）との間に組み込んだスプリング（２３）でスクリュロッド（２０）をハウジング（１０）の底（１１）から離反する方向に付勢し、そのスクリュロッド（２０）の端面（２５）を前記プランジャ（１２）に当接させたオートテンショナ。
【請求項２】
前記プランジャ（１２）を金属板の深絞り加工により形成した請求項１に記載のオートテンショナ。
【請求項３】
前記シール部材（１６）がＯリングからなる請求項１または２に記載のオートテンショナ。
【発明の詳細な説明】
【技術分野】
【０００１】
この発明は、主として、エンジンのカムシャフトを駆動するタイミングチェーンやタイミングベルトの張力保持に用いられるオートテンショナに関する。
【背景技術】
【０００２】
エンジンは、一般に、クランクシャフトの回転を、エンジンカバー内のエンジンルームに収容されたタイミングチェーン又はタイミングベルト（以下、タイミングチェーンを例に挙げて説明する）を介してカムシャフトに伝達し、そのカムシャフトの回転により燃焼室のバルブの開閉を行なう。ここで、チェーンの張力を適正範囲に保つために、支点軸を中心として揺動可能に設けたチェーンガイドと、そのチェーンガイドをチェーンに押さえ付ける方向に付勢するオートテンショナとからなる張力調整装置が多く用いられる。
【０００３】
この張力調整装置に組み込まれるオートテンショナとして、一端が開放した有底筒状のハウジング内にロッドを軸方向に摺動可能に挿入し、そのハウジングの開放端に組み込んだオイルシールでハウジング内にオイルを密封し、ハウジング内に設けたリターンスプリングでロッドをハウジングの底から離反する方向に付勢し、そのロッドの端部内周に形成した雌ねじにねじ係合する雄ねじを外周に形成したスクリュロッドをハウジング内に組み込み、そのスクリュロッドを、スクリュロッドとロッドの間に組み込んだスプリングでロッドから離反する方向に付勢したものが知られている（特許文献１）。
【０００４】
このオートテンショナは、カムシャフトを駆動してチェーンが振動した状態で、チェーンの張力が大きくなると、雌ねじと雄ねじの隙間の範囲内でロッドが前進と後退を繰り返し、スクリュロッドが少しずつ回転する。これにより、リターンスプリングの付勢力がチェーンの張力とつり合う位置までロッドが移動し、チェーンの緊張を吸収する。
【０００５】
一方、チェーンの張力が小さくなると、ロッドはハウジングの底から離反する方向に移動し、リターンスプリングの付勢力がチェーンの張力とつり合う位置まで移動する。このとき、ロッドの移動量が大きくなると、スクリュロッドがハウジングの底から離れるが、その後、スクリュロッドは、スプリングの付勢力によりロッドに対して回転しながら軸方向に移動してハウジングの底に当接する。
【０００６】
また、エンジンが停止すると、スクリュロッドがハウジングの底に当接した状態を保持する。このとき、チェーンの張力がリターンスプリングの付勢力よりも大きくなることがあるが、チェーンが振動しないのでスクリュロッドは回転せず、ロッドは、ハウジングの底に近接する方向には移動しない。そのため、エンジンを再始動したときに、チェーンの緩みを迅速に吸収することができ、チェーンの張力が安定しやすい。
【特許文献１】実開平１−４１７５５号公報
【発明の開示】
【発明が解決しようとする課題】
【０００７】
しかし、このオートテンショナは、ロッドに、スクリュロッドの雄ねじとねじ係合する雌ねじが直接形成されているので、ロッドのハウジングから突出した端部に軸直角方向の力が作用すると、ロッドに対するスクリュロッドの回転抵抗が大きくなる。そのため、チェーンの張力が大きくなってチェーンガイドが揺動し、その揺動によりチェーンガイドとロッドの接触部にずれが生じた場合など、ロッドのハウジングから突出した端部に軸直角方向の力が作用した場合、ロッドに対してスクリュロッドが回転しにくくなり、動作が不安定になるという問題があった。
【０００８】
この発明が解決しようとする課題は、ハウジングからの突出部に軸直角方向の力が作用した場合にも、安定して動作するオートテンショナを提供することである。
【課題を解決するための手段】
【０００９】
上記の課題を解決するために、一端が開放した有底筒状のハウジング内に、ハウジングの底に向かって開口する有底筒状のプランジャを、ハウジングから一端が突出した状態で軸方向に摺動可能に挿入し、そのプランジャの外周と前記ハウジングの内周の間に組み込んだリング状のシール部材で前記ハウジング内にオイルを密封し、前記プランジャ内にプランジャと同軸のスクリュロッドとそのスクリュロッドにねじ係合するナット部材とを収容し、そのナット部材とプランジャの間に組み込んだリターンスプリングでプランジャとナット部材を軸方向に離反する方向に付勢し、前記スクリュロッドとハウジングの底との間に組み込んだスプリングでスクリュロッドをハウジングの底から離反する方向に付勢し、そのスクリュロッドの端面を前記プランジャに当接させた構成をオートテンショナに採用した。
【００１０】
前記プランジャは、たとえば、金属板の深絞り加工により形成することができ、また、前記シール部材は、たとえばＯリングで構成することができる。
【発明の効果】
【００１１】
この発明のオートテンショナは、互いにねじ係合するスクリュロッドとナット部材がいずれもプランジャと別体なので、プランジャのハウジングから突出した端部に軸直角方向の力が作用した場合にも、ナット部材に対するスクリュロッドの回転抵抗が大きくなりにくく、安定して動作する。
【００１２】
また、この発明のオートテンショナは、スクリュロッドとナット部材を有底筒状のプランジャ内に収容したので、スクリュロッドとナット部材がプランジャに対して軸直角方向に重なり合った配置となり、軸方向の長さが短い。そのため、狭いスペースにも設置しやすい。
【発明を実施するための最良の形態】
【００１３】
図１に、この発明の実施形態のオートテンショナを組み込んだチェーン伝導装置を示す。このチェーン伝導装置は、エンジンのクランクシャフト１に固定されたスプロケット２と、カムシャフト３に固定されたスプロケット４とがチェーン５を介して連結されており、そのチェーン５がクランクシャフト１の回転をカムシャフト３に伝達し、そのカムシャフト３の回転により燃焼室のバルブ（図示せず）の開閉を行なう。
【００１４】
チェーン５には、エンジンブロック（図示せず）に固定された支点軸６で揺動可能に支持されたチェーンガイド７が接触しており、チェーンガイド７は、オートテンショナ８によってチェーン５に押さえ付ける方向に付勢されている。
【００１５】
オートテンショナ８は、エンジンブロックにボルト９で固定されるハウジング１０を有する。ハウジング１０は、図２に示すように、一端が開放した有底筒状に形成され、ハウジング１０内には、ハウジング１０の底１１に向かって開口する有底筒状のプランジャ１２が軸方向に摺動可能に挿入されている。プランジャ１２は、ハウジング１０の内周に摺動する筒部１３と、筒部１３の一端に形成された底部１４とからなり、筒部１３の外周がハウジング１０の内周に嵌合するとともに底部１４がハウジング１０の開放端１５から突出している。プランジャ１２は、金属板の深絞り加工によって形成されている。
【００１６】
ハウジング１０の内周には、プランジャ１２の外周と接触するリング状のシール部材１６が組み込まれ、このシール部材１６によって、ハウジング１０内にオイルが密封されている。シール部材１６は、たとえば、ゴム製のＯリングを用いることができる。
【００１７】
プランジャ１２内には、内周に雌ねじ１７を有するナット部材１８と、外周に雄ねじ１９を有するスクリュロッド２０とがプランジャ１２と同軸に収容され、ナット部材１８とスクリュロッド２０がねじ係合している。ナット部材１８の外周には、プランジャ１２の底部１４から離反する方向に向けて拡径する段部２１が形成され、段部２１と底部１４の間には、ナット部材１８とプランジャ１２を軸方向に離反する方向に付勢するリターンスプリング２２が組み込まれている。
【００１８】
雌ねじ１７と雄ねじ１９は、軸方向に遊びを有した状態でねじ係合している。また、雌ねじ１７と雄ねじ１９は、軸線に沿った断面形状が非対称形状の鋸歯状に形成され、ハウジング１０の底１１に近接させる方向の力がスクリュロッド２０に作用した状態で圧力を受ける圧力側フランクのフランク角が、遊び側フランクのフランク角よりも大きくなるように形成されている。
【００１９】
ハウジング１０の底１１とスクリュロッド２０の間には、スプリング２３でスクリュロッド２０に向けて付勢されたスプリングシート２４が組み込まれ、スプリングシート２４の一端がスクリュロッド２０に当接している。これにより、スプリング２３の付勢力がスプリングシート２４を介してスクリュロッド２０に伝わり、スクリュロッド２０がハウジング１０の底１１から離反する方向に付勢されている。また、スクリュロッド２０の球面状の端面２５がプランジャ１２の底部１４に当接している。
【００２０】
つぎに、このオートテンショナ８の動作例を説明する。
【００２１】
カムシャフト３を駆動してチェーン５が振動した状態で、チェーン５の張力が大きくなると、雌ねじ１７と雄ねじ１９の隙間の範囲内でスクリュロッド２０が前進と後退を繰り返し、スクリュロッド２０がナット部材１８に対して少しずつ回転する。これにより、リターンスプリング２２とスプリング２３の付勢力が、チェーン５の張力とつり合う位置までプランジャ１２が軸方向に移動し、チェーン５の緊張を吸収する。
【００２２】
一方、チェーン５の張力が小さくなると、プランジャ１２はハウジング１０の底１１から離反する方向に移動し、リターンスプリング２２とスプリング２３の付勢力が、チェーン５の張力とつり合う位置まで移動する。このとき、プランジャ１２の移動量が雌ねじ１７と雄ねじ１９の隙間の範囲よりも大きくなると、プランジャ１２の底部１４がスクリュロッド２０の端面２５から離れるが、その後、スクリュロッド２０は、スプリング２３の付勢力によりナット部材１８に対して回転しながら軸方向に移動してプランジャ１２の底部１４に当接する。
【００２３】
また、エンジンを停止させると、カムシャフト３の回転抵抗の変動により、エンジン停止時のチェーン５の張力が、リターンスプリング２２とスプリング２３の付勢力よりも大きくなることがあるが、チェーン５が振動しないのでスクリュロッド２０はナット部材１８に対して回転せず、プランジャ１２は軸方向に移動しない。そのため、エンジンを再始動したときに、チェーン５の緩みを迅速に吸収することができ、チェーン５の張力が安定しやすい。
【００２４】
このオートテンショナ８は、ねじ係合するスクリュロッド２０とナット部材１８がいずれもプランジャ１２と別体なので、プランジャ１２の底部１４に軸直角方向の力が作用した場合に、その力がスクリュロッド２０に伝わりにくい。そのため、チェーン５の張力が大きくなってチェーンガイド７が揺動し、その揺動によりチェーンガイド７とプランジャ１２の接触部にずれが生じた場合など、プランジャ１２の底部１４に軸直角方向の力が作用した場合にも、ナット部材１８に対するスクリュロッド２０の回転抵抗が大きくなりにくく、安定して動作する。
【００２５】
また、このオートテンショナ８は、スクリュロッド２０とナット部材１８を有底筒状のプランジャ１２内に収容したので、スクリュロッド２０とナット部材１８がプランジャ１２の筒部１３に対して軸直角方向に重なり合った配置となり、軸方向の長さが短い。そのため、このオートテンショナ８は狭いスペースにも設置しやすい。
【図面の簡単な説明】
【００２６】
【図１】この発明の実施形態のオートテンショナを組み込んだチェーン伝導装置を示す正面図
【図２】図１に示すオートテンショナの拡大断面図
【符号の説明】
【００２７】
１０    ハウジング
１１    底
１２    プランジャ
１６    シール部材
１８    ナット部材
２０    スクリュロッド
２２    リターンスプリング
２３    スプリング
２５    端面
【図１】
2008144837.tif 000003
【図２】
2008144837.tif 000004